【事件の表示】
　平成１０年特許願第２８７０８３号「表示装置」拒絶査定不服審判事件〔平成１１年　７月２１日出願公開、特開平１１−１９４３６７〕について、次のとおり審決する。
【結　論】
　本件審判の請求は、成り立たない。
【理　由】
第１．手続の経緯
平成１０年１０月　８日　特許出願
（優先権主張平成９年１０月１３日）
平成１４年１１月２０日　拒絶理由
平成１５年　１月２４日　手続補正
平成１５年　８月　６日　拒絶査定
平成１５年　９月１８日　審判請求
平成１５年１０月２０日　手続補正
　
第２．本願の請求項に係る発明
　平成１５年１０月２０日付の手続補正は、補正前の請求項１ないし５を削除し、補正前の請求項６、７を繰り上げて請求項１、２とするものであり、補正の要件に適合する。
　したがって、本願の請求項に係る発明は、平成１５年１月２４日付け手続補正書及び平成１５年１０月２０日付け手続補正書で補正された明細書及び図面の記載からみて、特許請求の範囲の請求項１、２に記載された事項により特定されるとおりのものであるところ、その請求項１に係る発明は下記のものである（以下「本願発明」という）。
　
　　　　　　　　　　　　　　　　記
　
【請求項１】対向面上に、行列状に配列された画素電極群と各画素電極に表示信号電圧を供給する第１の薄膜トランジスタ群が形成された表示領域、前記表示領域の周辺に形成された第２の薄膜トランジスタ群からなり前記第１の薄膜トランジスタを駆動する複数の駆動回路領域及び前記駆動回路を制御するための制御回路領域とが設けられた第１の基板と、共通電極が形成された第２の基板とが、周縁に設けられた接着材により光学部材を間に挟んで貼り合わせてなる表示装置において、
　前記駆動回路は、少なくともシフトレジスタからなり、前記接着材は、前記シフトレジスタ領域を全て覆うことを特徴とする表示装置。
　
第３．引用例の記載
　原査定の拒絶の理由に引用され、本願の優先権主張日前に頒布された、特開平８−２２０５６０号公報（以下「引用例」という）には、各図とともに以下の事項が記載されている。
　
（１）「【０００１】【産業上の利用分野】本発明は、アクティブマトリクス表示装置の小型化、及び高信頼性を得るための技術に関する。」
　
（２）「【００１３】【実施例】〔実施例１〕本発明によるアクティブマトリクス表示装置の断面図を図２に示す。アクティブマトリクス表示装置では、ガラス基板（２０２）には画素ＴＦＴ（２０７）の上に透明電極（２０４）と配向膜（２０５）が付けられている。このガラス基板はＴＦＴ基板と呼ぶ。ＴＦＴ基板は液晶材（２０９）に遠い方から偏光板（２０１）、ガラス基板（２０２）の順で並んでいる。また、他方のガラス基板はカラーフィルタ基板と呼ぶ。液晶材（２０９）に近い方から配向膜（２０５）、透明電極（２０４）、カラーフィルタ（２０３）、ガラス基板（２０２）、偏光板（２０１）と並んでいる。そして、２枚のガラス基板の間隔を一定に保つためのガラスまたは樹脂製のスペーサ（２０６）が液晶材（２０９）中に多数散布されている。
【００１４】偏光板（２０１）は通過させる光の振動方向を限定する厚さ８０〜２１０μｍ程度のフィルタである。偏光板の構造は図６のように、真中にＰＶＡ（ポリビニルアルコール）製の偏光フィルム６０４があり、さらにセルロース系の保護層６０３が付けられている。さらにその外側は液晶材に近い方には粘着層６０２と離型フィルム６０１、反対側には表面を保護する保護フィルム６０５が取りつけられている。その使用に際しては、離型フィルム６０１を剥がしガラス基板に粘着層６０２を張りつけて使用する。配向膜（２０５）の役割は、液晶分子が電圧ＯＦＦ時に配向膜（２０５）に刻まれた溝に入り込んで一定方向に配列させることである。配向膜材料には、ポリイミドやポリアミド酸を溶媒に５〜１０重量％溶解させたものが用いられる。また、配向膜（２０５）の厚さは０．０５〜０．１μｍ程度で膜厚が均一であることが要求される。液晶材（２０９）は、アクティブマトリクス表示装置の真中にあり、電圧がＯＮの場合には立ち、ＯＦＦの場合は捩れることにより、光の通過・遮断を制御するスイッチの役割を果たす。液晶材（２０９）の原料は、ベンゼン、トルエン等である。カラーフィルタ（２０３）は、モノクロの液晶表示をカラー化するための色合成フィルタである。カラーフィルタ（２０３）はＲＧＢ（Red,Green,Blue）の３色から成り、画素ＴＦＴの１個とカラーフィルタ（２０３）の１個の色が重なるようになっている。封止材（２１０）は、２枚のガラス基板を貼り付ける接着剤の役割を果たす。封止材（２１０）の原料としては、シリコン、アクリル、エポキシ等がある。」
　
（３）「【００１５】画素ＴＦＴが液晶領域にあることは、従来のアクティブマトリクス表示装置と同様であるが、本発明では、従来封入の外にあった駆動回路ＴＦＴ（２０８）を液晶封入領域内に配置している。この液晶封入領域内に駆動回路を入れることは、以下のような利点を得ることができる。
１．耐汚染性の向上。
２．画素に接続される信号線の短縮による画質向上。
３．液晶材料が緩衝材となり、不要な応力が薄膜トランジスタに加わることを抑制することができる。
また、本実施例では駆動回路を液晶封入領域に入れるのみなるず、駆動回路を制御するマイクロプロセッサ（２１１）等の制御用集積回路を封入材の中にいれることによって、駆動回路と制御用集積回路との距離を小さく抑え、信号の不要ノイズを軽減する等の効果を得ることができる。ここで、制御用集積回路を封入する場合、対向側の基板を一部厚みを薄くすることにより、実装し易くすることも行っている。制御用集積回路は封止領域に入れることによって、従来の構造と比較して、信頼性が向上される。またここでいう制御回路は、シリコン端結晶ウエハー（当審注：「シリコン単結晶ウエハー」の誤記である）を用いて形成された集積回路であり、その具体的な例として、メモリ、Ｉ／Ｏポート、その他各種制御回路、ビデオ信号を扱う回路、さらにはそれらの任意の組み合わせを有する集積回路を挙げることができる。勿論、これら集積回路は必要とする数でもって配置される。
【００１６】また集積回路の配置方法は、ＣＯＧ（Chip On Glass ）で基板上に実装されることが望ましい。しかし、ワイヤボンディング形式で配線を形成しても、配線が封止材によって実質的に封止されるので、その信頼性は高いものとすることができる。
【００１７】また、図には示されていないが、周辺駆動回路領域の上面には光を遮蔽するクロム膜やアルミ膜等の遮蔽膜を形成する必要がある。
【００１８】また、図２における構成では、ガラス基板２０２の一部を薄くし、その部分に集積回路２１１を配置している。これは、液晶が注入されるギャップが数μｍ程度にあるのに対して、集積回路の厚さが数百μｍ程度あるからである。図２においては、上側のガラス基板２０２側の一部を薄くしているが、ＴＦＴが配置されたガラス基板２０２側の一部を薄くしてもよい。また両方のガラス基板を薄くし、その部分に集積回路を配置する構成としてもよい。」
　
（４）「【００１９】本実施例のアクティブマトリクス回路を得る作製工程について、図５を用いて説明する。図の左側に周辺駆動回路のＴＦＴの作製工程を、右側にアクティブマトリクス回路のＴＦＴの作製工程を、それぞれ示す。まず、石英基板またはガラス基板（５０１）上に下地酸化膜（５０２）として厚さ１０００〜３０００Åの酸化珪素膜を形成する。この酸化珪素膜の形成方法としては、酸素雰囲気中でのスパッタ法やプラズマＣＶＤ法を用いればよい。
【００２０】次に、プラズマＣＶＤ法やＬＰＣＶＤ法によってアモルファスもしくは多結晶のシリコン膜を３００〜１５００Å、好ましくは５００〜１０００Å形成する。そして、５００℃以上、好ましくは、８００〜９５０℃の温度で熱アニールをおこない、シリコン膜を結晶化させる。熱アニールによって結晶化させたのち、光アニールをおこなって、さらに結晶性を高めてもよい。また、熱アニールによる結晶化の際に、特開平６−２４４１０３、同６−２４４１０４に記述されているように、ニッケル等のシリコンの結晶化を促進させる元素（触媒元素）を添加してもよい。
【００２１】次にシリコン膜をエッチングして、島状の周辺駆動回路のＴＦＴの活性層（５０３）（Ｐチャネル型ＴＦＴ用）、（５０４）（Ｎチャネル型ＴＦＴ用）とマトリクス回路のＴＦＴ（画素ＴＦＴ）の活性層（５０５）を形成する。さらに、酸素雰囲気中でのスパッタ法によって、厚さ５００〜２０００Åの酸化珪素のゲイト絶縁膜（５０６）を形成する。ゲイト絶縁膜の形成方法としては、プラズマＣＶＤ法を用いてもよい。プラズマＣＶＤ法によって酸化珪素膜を形成する場合には、原料ガスとして、一酸化二窒素（Ｎ2Ｏ）もしくは酸素（Ｏ2）とモンシラン（ＳｉＨ4）を用いることが好ましい。
【００２２】その後、厚さ２０００Å〜５μｍ、好ましくは２０００〜６０００Åの多結晶シリコン膜（導電性を高めるため微量の燐を含有する）をＬＰＣＶＤ法によって基板全面に形成する。そして、これをエッチングして、ゲイト電極（５０７、５０８、５０９）を形成する。（図５（Ａ））
その後、イオンドーピング法によって、全ての島状活性層に、ゲイト電極をマスクとして自己整合的にフォスフィン（ＰＨ3）をドーピングガスとして燐を注入する。ドーズ量は１×１０12〜５×１０13原子／ｃｍ2する。この結果、弱いＮ型領域（５１０、５１１、５１２）が形成される。（図５（Ｂ））
【００２３】次に、Ｐチャネル型ＴＦＴの活性層（５０３）を覆うフォトレジストのマスク（５１３）、および、画素ＴＦＴの活性層（５０５）のうち、ゲイト電極に平行にゲイト電極（５０９）の端から３μｍ離れた部分までを覆うフォトレジストのマスク（５１４）を形成する。そして、再び、イオンドーピング法によって、フォスフィンをドーピングガスとして燐を注入する。ドーズ量は１×１０14〜５×１０15原子／ｃｍ2とする。この結果、強いＮ型領域（ソース／ドレイン）（５１５、５１６）が形成される。画素ＴＦＴの活性層（５０５）の弱いＮ型領域（５１２）のうち、マスク（５１４）に覆われていた領域（５１７）は今回のドーピングでは燐が注入されないので、弱いＮ型のままでとなる。（図５（Ｃ））
【００２４】次に、Ｎチャネル型ＴＦＴの活性層（５０４、５０５）をフォトレジストのマスク（５１８）で覆い、ジボラン（Ｂ2Ｈ6）をドーピングガスとして、イオンドーピング法により、島状領域（５０３）に硼素を注入する。ドーズ量は５×１０14〜８×１０15原子／ｃｍ2とする。このドーピングでは、硼素のドーズ量が図５（Ｃ）における燐のドーズ量を上回るため、先に形成されていた弱いＮ型領域（５１０）は強いＰ型領域（５１９）に反転する。以上のドーピングにより、強いＮ型領域（ソース／ドレイン）（５１５、５１６）、強いＰ型領域（ソース／ドレイン）（５１９）、弱いＮ型領域（低濃度不純物領域）（５１７）が形成される。本実施例においては、低濃度不純物領域（５１７）の幅ｘは、約３μｍとする。（図５（Ｄ））
【００２５】その後、４５０〜８５０℃で０．５〜３時間の熱アニールを施すことにより、ドーピングによるダメージを回復せしめ、ドーピング不純物を活性化、シリコンの結晶性を回復させる。その後、全面に層間絶縁物（５２０）として、プラズマＣＶＤ法によって酸化珪素膜を厚さ３０００〜６０００Å形成する。これは、窒化珪素膜あるいは酸化珪素膜と窒化珪素膜の多層膜であってもよい。そして、層間絶縁物（５２０）をウェットエッチング法によってエッチングして、ソース／ドレインにコンタクトホールを形成する。
【００２６】そして、スパッタ法によって、厚さ２０００〜６０００Åのチタン膜を形成し、これをエッチングして、周辺回路の電極・配線（５２１、５２２、５２３）および画素ＴＦＴの電極・配線（５２４、５２５）を形成する。さらに、プラズマＣＶＤ法によって、厚さ１０００〜３０００Åの窒化珪素膜（５２６）をパッシベーション膜として形成し、これをエッチングして、画素ＴＦＴの電極（５２５）に達するコンタクトホールを形成する。最後に、スパッタ法で成膜した厚さ５００〜１５００ÅのＩＴＯ（インディウム錫酸化物）膜をエッチングして、画素電極（５２７）を形成する。このようにして、周辺論理回路とアクティブマトリクス回路を一体化して形成する。（図５（Ｅ））
【００２７】本実施例のアクティブマトリクス表示装置の組立工程を以下に説明する。ＴＦＴ基板・カラーフィルタ基板は、各々表面処理に用いられたエッチング液レジスト剥離液等の各種薬品を十分に洗浄する。次に配向膜をカラーフィルタ基板及びＴＦＴ基板に付着させる。配向膜はある一定の溝が刻まれ、その溝に沿って液晶分子が均一に配列する。配向膜材料にはブチルセルソングかｎ−メチルピロリドンといった溶媒に、溶媒の約１０重量％のポリイミドを溶解したものを用いる。これをポリイミドワニスと呼ぶ。ポリイミドワニスは図＊に示すようにフレキソ印刷装置によって印刷する。そして、ＴＦＴ基板・カラーフィルタ基板の両基板に付着した配向膜を加熱・硬化させる。これをベークと呼ぶ。ベークは最高使用温度約３００℃の熱風を送り加熱し、ポリイミドワニスを焼成・硬化させるものである。その次に、配向膜の付着したガラス基板表面を毛足の長さ２〜３ｍｍのバフ布（レイヨン・ナイロン等の繊維）で一定方向に擦り、微細な溝を作るラビング工程を行う。そして、ＴＦＴ基板もしくはカラーフィルタ基板のいずれかに、ポリマー系・ガラス系・シリカ系等の球のスペーサを散布する。スペーサ散布の方式としては純水・アルコール等の溶媒にスペーサを混ぜ、ガラス基板上に散布するウェット方式と、溶媒を一切使用せずスペーサを散布するドライ方式がある。その次に、ＴＦＴ基板の外枠に封止材を塗布する。封止材塗布には、ＴＦＴ基板とカラーフィルタ基板を接着する役割と注入する液晶材が外部に流出するのを防ぐ目的がある。封止材の材料は、エポキシ樹脂とフェノール硬化剤をエチルセルソルブの溶媒に溶かしたものが使用される。封止材塗布後に２枚のガラス基板の貼り合わせを行う。方法は約１６０℃の高温プレスによって、約３時間で封止材を硬化する加熱硬化方式をとる。最後に、ＴＦＴ基板とカラーフィルタ基板を貼り合わせたアクティブマトリクス表示装置の液晶注入口より液晶材を入れて、液晶材注入後エポキシ系樹脂で液晶注入口を封止する。以上のようにして、アクティブマトリクス表示装置が組み立てられる。」
　
（５）「【００２８】〔実施例２〕本発明によるアクティブマトリクス表示装置の断面図を図３に示す。図からも明らかなように、アクティブマトリクス表示装置を制御するマイクロプロセッサ（３１１）と駆動回路ＴＦＴ（３０８）を封止材（３１０）で封入することで、駆動回路ＴＦＴ（３０８）を保護し、外部に剥き出しにならないようにしている。本実施例は封止材（３１０）で封入する回路量（駆動回路ＴＦＴ（３０８））が異なる以外は、実施例（その１）と構成及び作製工程は同じである。」
　
（６）「【００２９】〔実施例３〕本実施例は、予備の周辺回路（冗長回路）を設けた構成に関する。図７に本実施例で示す液晶表示パネルの概略の上面図を示す。図７は上面から見た図であるので、ガラス基板としては、７０１が１枚だけ示されている。しかし、実際には、ガラス基板７０１と対となってもう１枚のガラス基板がガラス基板７０１に張り合わせてある。図７に示す構成においては、周辺駆動回路領域７０３とマトリクス状に配置された画素領域７０４とが封止材７０２の内側に配置されている。封止材７０２の内側が液晶で充填されているわけであるから、周辺駆動回路領域７０３と画素領域７０４に配置された薄膜トランジスタは、その上面に液晶が存在している状態となっている。
【００３０】また周辺駆動回路に接続される各種制御回路を構成する集積回路（ＩＣ）は封止材７０２内に配置され、丁度封止材７０２によってモールドされた状態となっている。
【００３１】７０５で示されるのが、予備の周辺駆動回路の領域であり、７０３で示される領域に配置された周辺駆動回路に不良が発生した場合に利用される。７０６で示されるのは、外部との接続端子であり、この端子を介して、ビデオ信号や必要とする信号が回部から入力される。図７に示す液晶表示パネルは、一対のガラス基板間に必要とする回路が全て収められている。しかもそれら回路の全てが封止材または液晶によって封止ざれている状態となっているので、信頼性を極めて高いものとすることができる。
【００３２】また、図面ではその寸法比が正確ではないが、周辺駆動回路の幅は数ミリ程度である。また封止材の幅も周辺駆動回路に接続される集積回路によってその幅が決まるとはいえ、その幅を数ｍｍ程度以下（集積回路を小さくできれば、１ｍｍ程度とすることができる）とすることができる。従って、実際に液晶表示が行われる領域の周囲に数ｍｍ〜１ｃｍ程度の縁が存在するだけで、しかも外部出力端子を除けば、外見上一対のガラス基板で構成されるという極めてシンプルな外観とすることができる。」
　
（７）「【符号の説明】
１０１、２０２、３０２、４０１　　ガラス基板
１０２、２１０、３１０、４０２　　封止材
１０３、２０８、３０８、４０３　　駆動回路ＴＦＴ
１０４、２０７、３０７、４０４　　画素ＴＦＴ
２０１、３０１　　　　　　　　　　偏光板
２０３、３０３　　　　　　　　　　カラーフィルタ
２０４、３０４　　　　　　　　　　透明電極
２０５、３０５　　　　　　　　　　配向膜
２０６、３０６　　　　　　　　　　スペーサ
２０９、３０９　　　　　　　　　　液晶材
２１１、３１１　　　　　　　　　　マイクロプロセッサ
５０１　　　　　　　　　　　　　　基板
５０２　　　　　　　　　　　　　　下地膜（酸化珪素）
５０３〜５０５　　　　　　　　　　活性層（シリコン）
５０６　　　　　　　　　　　　　　ゲイト絶縁膜（酸化珪素）
５０７〜５０９　　　　　　　　　　ゲイト電極・ゲイト線
５１０〜５１２　　　　　　　　　　弱いＮ型領域
５１３、５１４　　　　　　　　　　フォトレジストのマスク
５１５、５１６　　　　　　　　　　強いＮ型領域（ソース／ドレイン）
５１７　　　　　　　　　　　　　　低濃度不純物領域
５１８　　　　　　　　　　　　　　フォトレジストのマスク
５１９　　　　　　　　　　　　　　強いＰ型領域（ソース／ドレイン）
５２０　　　　　　　　　　　　　　層間絶縁物（酸化珪素）
５２１〜５２５　　　　　　　　　　金属配線・電極
５２６　　　　　　　　　　　　　　パッシベーション膜（窒化珪素）
５２７　　　　　　　　　　　　　　画素電極（ＩＴＯ）」
　したがって、引用例には以下の発明が記載されている（以下「引用発明」という）。
　「画素電極と画素ＴＦＴが形成された画素領域、前記画素領域の周辺に形成された駆動回路ＴＦＴからなる周辺駆動回路領域及び前記周辺駆動回路を制御するための制御用集積回路が配置された領域とが設けられたＴＦＴ基板と、透明電極が形成されたカラーフィルタ基板とが、画素領域を取り囲み接着剤の役割を果たす封止材により液晶を封入して貼り付けられてなるアクティブマトリクス表示装置において、
　前記周辺駆動回路は、前記封止材で封入されている、アクティブマトリクス表示装置。」
　
第４．対比
　本願発明と引用発明を比較すると以下のとおりである。
（１）引用発明の「画素電極」「画素ＴＦＴ」「画素領域」「駆動回路ＴＦＴ」「周辺駆動回路」「制御用集積回路」「ＴＦＴ基板」「透明電極」「カラーフィルタ基板」「封止材」「液晶」及び「アクティブマトリクス表示装置」は、それぞれ、本願発明の「画素電極」「第１の薄膜トランジスタ」「表示領域」「第２の薄膜トランジスタ」「駆動回路」「制御回路」「第１の基板」「共通電極」「第２の基板」「接着材」「光学部材」及び「表示装置」に相当する。
（２）上記摘記事項、及び、図１、２、３、５からみて、以下の点は自明である。
ア．引用発明の「画素電極と画素ＴＦＴが形成された画素領域」が、本願発明の「行列状に配列された画素電極群と各画素電極に表示信号電圧を供給する第１の薄膜トランジスタ群が形成された表示領域」に相当する点。
イ．引用発明の「画素領域の周辺に形成された駆動回路ＴＦＴからなる周辺駆動回路領域」が、本願発明の「表示領域の周辺に形成された第２の薄膜トランジスタ群からなり前記第１の薄膜トランジスタを駆動する複数の駆動回路領域」に相当する点。
ウ．引用発明の、画素領域、周辺駆動回路領域、及び、制御用集積回路が配置された領域、が、ＴＦＴ基板の、カラーフィルタ基板に対向する面上、すなわち「対向面上」に設けられている点。
エ．引用発明の「画素領域を取り囲み接着剤の役割を果たす封止材により液晶を封入して貼り付けられてなる」構成が、本願発明の「周縁に設けられた接着材により光学部材を間に挟んで貼り合わせてなる」構成に相当する点。
　
　そうしてみれば、本願発明と引用発明は、「対向面上に、行列状に配列された画素電極群と各画素電極に表示信号電圧を供給する第１の薄膜トランジスタ群が形成された表示領域、前記表示領域の周辺に形成された第２の薄膜トランジスタ群からなり前記第１の薄膜トランジスタを駆動する複数の駆動回路領域及び前記駆動回路を制御するための制御回路領域とが設けられた第１の基板と、共通電極が形成された第２の基板とが、周縁に設けられた接着材により光学部材を間に挟んで貼り合わせてなる表示装置」の点で一致し、以下の点で、一応、相違する。
　
（相違点）
　本願発明は「前記駆動回路は、少なくともシフトレジスタからなり、前記接着材は、前記シフトレジスタ領域を全て覆う」構成を有するのに対して、引用発明は、駆動回路が接着剤としての封止材で覆われている点は明らかであるものの、「前記駆動回路は、少なくともシフトレジスタからなり」の点が明らかでない点。
　
第５．判断
　引用例には、シフトレジスタに関する記載が無いものの、アクティブマトリックス表示装置の画素領域を駆動する周辺駆動回路は、少なくともシフトレジスタを含むものが通常であり、例えば、
（１）特開平８−２６３０１６号公報には図２ないし４、図１０ないし１３とともに、「アクティブマトリクス型液晶表示装置は図２の上方に信号線駆動回路、左方に走査線駆動回路を配置し、信号線、走査線の駆動をおこなっている。また、走査線駆動回路、信号線駆動回路はクロックジェネレータのような信号発生回路からクロックなどの信号供給をうけている。走査線駆動回路は図３のようにシフトレジスタを使用したものが一般的であり、クロックが入力されるごとにパルスがシフトされ、ＮＡＮＤ回路、バッファ回路を介したのち、走査線に接続され、走査線を順に駆動していく。・・・信号線駆動回路は走査線駆動回路と同様にシフトレジスタを使用したものが一般的であるが、走査線駆動回路と異なり、直接信号線を駆動するのではなく、シフトレジスタの出力信号はバッファ回路を介して、サンプリング用アナログスイッチを駆動し、アナログビデオ信号をサンプリングし、信号線に供給する。」（段落【０００４】ないし【０００５】）と記載され、
（２）特開平８−２６２４５４号公報には図３、５とともに「周辺駆動回路領域には、前記画素領域に配置された薄膜トランジスタを駆動するための回路が薄膜トランジスタでもって構成されている。周辺駆動回路としては、シフトレジスタやアドレスデコーダが利用される。また、その他必要とする回路が配置される。」（段落【０００９】）と記載され、
（３）特開平８−２１３６３４号公報には各図とともに、「本実施例は、同一ガラス基板上に同時に液晶表示装置に使用するアクティブマトリクス回路（画素回路）と周辺論理回路とを同時に作製する工程に関する。」（段落【００２８】）「周辺論理回路とはシフトレジスタである」（【請求項３】）と記載されている。
　そうしてみれば、引用発明の周辺駆動回路は、少なくともシフトレジスタを含むものといえ、また、引用発明の周辺駆動回路は、接着剤の役割を果たす封止材で封入されているものであるから、引用発明は、本願発明の「前記駆動回路は、少なくともシフトレジスタからなり、前記接着材は、前記シフトレジスタ領域を全て覆う」構成を有するものであり、結局、本願発明と引用発明は同一である。
　
　この点に関し審判請求人は補正された審判請求書において、
「引用文献１には、「図からも明らかなように、アクティブマトリクス表示装置を制御するマイクロプロセッサ３１１」と記載されているように、表示画素を駆動するのに、「駆動ＴＦＴ３０８」はシフトレジスタであるとは記載されておりません。例えば、その「駆動ＴＦＴ３０８」は単に、マイクロプロセッサ３１１からの信号を、表示画素に供給するか否かを機能を有する、いわゆるオンオフの「スイッチ」でしかないものであると考えられます。
　従って、本願発明のように、駆動回路がシフトレジスタであることは記載されておりません。」
と主張している。
　
　しかしながら、引用例の周辺駆動回路は「周辺
論理回路
　
第６．むすび
　以上のとおり、本願発明は引用例に記載された発明であるから、特許法第２９条第１項第３号の規定により特許を受けることができない。
　よって結論のとおり審決する。